(57)【要約】【課題】スプロケットの歯の間隔をフィルムのパーフォレーションの間隔よりも狭くすることにより、カメラ本体をコンパクト化しても確実にフィルムを給送できるカメラを提供する。【解決手段】フィルム４を給送するスプロケット３０の歯３０Ａ〜３０Ｅの間隔をフィルム４に形成されたパーフォレーショ５の間隔よりも狭く形成する。【選択図】      図２
2005275042.tif 000002
【特許請求の範囲】
【請求項１】
フィルムに一定ピッチで形成されたパーフォレーションにスプロケットの歯を噛み合わせ、該スプロケットの回転によりフィルムをフィルム室に給送するカメラにおいて、
前記スプロケットに一定ピッチで形成される歯の間隔が、前記フィルムに一定ピッチで形成されたパーフォレーションの間隔よりも狭く形成されることを特徴とするカメラ。
【請求項２】
先にパーフォレーションに係合したスプロケットの歯が、パーフォレーションから抜ける前に次の歯が、次のパーフォレーションに噛み合い、次の歯でフィルムが給送されるように、前記スプロケットに一定ピッチで形成される歯の間隔が設定されることを特徴とする請求項１に記載のカメラ。
【発明の詳細な説明】
【技術分野】
【０００１】
本発明はカメラに係り、特にパトローネ室に装填されたフィルムパトローネからフィルムをフィルム巻取り室に自動給送するカメラに関する。
【背景技術】
【０００２】
１３５タイプのフィルムパトローネを使用するカメラのフィルム装填方式としてドロップ・イン・ローディング（ＤＩＬ）方式が知られている（たとえば、特許文献１）。
【０００３】
ＤＩＬ方式のカメラでは、たとえばカメラ本体に設けられた装填蓋を開けると、カメラ本体の底面にパトローネ室の装填口が露呈し、この装填口からフィルムパトローネを軸方向に沿ってパトローネ室に落とし込むように装填する。パトローネ室に装填されたフィルムパトローネは、装填蓋を閉じると、あらかじめ引き出されたフィルムリーダのパーフォレーションにスプロケットの歯が噛み合い、このスプロケットに駆動されて、フィルムリーダがフィルム巻取り室に自動で給送される。
【０００４】
ところで、このＤＩＬ方式のカメラには、パトローネ軸が突出していない方からフィルムパトローネをパトローネ室に装填する方式（以下、この方式装填を「順装填ＤＩＬ方式」と呼ぶ。）と、パトローネ軸が突出した方からフィルムパトローネをパトローネ室に装填する方式（以下、この装填方式を「逆装填ＤＩＬ方式」と呼ぶ。）とがあり、カメラ本体のコンパクト化を図るには、逆装填ＤＩＬ方式の方が有利とされている。すなわち、順装填ＤＩＬ方式のカメラの場合、カメラ本体を正面側から見て右端にパトローネ室が形成されるが、通常カメラ本体の右上端にはストロボユニットが配設されるため、このストロボユニットとパトローネ室との干渉を避けてレイアウトする関係上、カメラ本体の高さ方向の寸法が逆装填ＤＩＬ方式より大きくなってしまう。
【０００５】
このように、カメラ本体のコンパクト化には逆装填ＤＩＬ方式の方が有利とされているが、よりコンパクトなボディ、特に横方向のコンパクト化を図るためには、フィルム給送系の機構のコンパクト化が必要になる。このため、フィルムリーダを初期送りするスプロケットも小型化する必要がある。
【特許文献１】特開平８−１９４２５７号公報
【発明の開示】
【発明が解決しようとする課題】
【０００６】
しかしながら、スプロケットを小型化すると、スプロケットの歯がフィルムのパーフォレーションから抜ける際、フィルム面と直交する方向にスプロケットの歯先が、フィルム面に近づくために、スプロケットの歯面がパーフォレーションの周縁部を押し下げ、フィルムが破けてしまうという欠点がある。
【０００７】
本発明は、このような事情に鑑みてなされたもので、カメラ本体をコンパクト化しても確実にフィルムを給送できるカメラを提供することを目的とする。
【課題を解決するための手段】
【０００８】
本発明は、前記目的を達成するために、フィルムに一定ピッチで形成されたパーフォレーションにスプロケットの歯を噛み合わせ、該スプロケットの回転によりフィルムをフィルム室に給送するカメラにおいて、前記スプロケットに一定ピッチで形成される歯の間隔が、前記フィルムに一定ピッチで形成されたパーフォレーションの間隔よりも狭く形成されることを特徴とするカメラを提供する。
【０００９】
本発明によれば、フィルムを給送するスプロケットの歯の間隔が、フィルムに一定ピッチで形成されたパーフォレーションの間隔よりも狭く形成される。これにより、スプロケットの歯がパーフォレーションから抜ける前に次の歯が次のパーフォレーションに噛み合い、次の歯でフィルムが給送される。この結果、スプロケットを小型化しても、スプロケットの歯がパーフォレーションから抜ける際にフィルムに剪断力が働かなくなり、フィルムを破くことなく確実に給送できる。また、小型のスプロケットを用いることができることにより、カメラ本体のコンパクト化を図ることができる。
【００１０】
また、請求項２に係る発明は、前記目的を達成するために、先にパーフォレーションに係合したスプロケットの歯が、パーフォレーションから抜ける前に次の歯が、次のパーフォレーションに噛み合い、次の歯でフィルムが給送されるように、前記スプロケットに一定ピッチで形成される歯の間隔が設定されることを特徴とする請求項１に記載のカメラを提供する。
【００１１】
本発明によれば、先にパーフォレーションに係合したスプロケットの歯が、パーフォレーションから抜ける前に次の歯が、次のパーフォレーションに噛み合い、次の歯でフィルムが給送されるように、スプロケットに一定ピッチで形成される歯の間隔が設定される。これにより、スプロケットを小型化しても、スプロケットの歯がパーフォレーションから抜ける際にフィルムに剪断力が働かなくなり、フィルムを破くことなく確実に給送できる。また、小型のスプロケットを用いることができることにより、カメラ本体のコンパクト化を図ることができる。
【発明の効果】
【００１２】
本発明に係るカメラによれば、カメラ本体をコンパクト化しても確実にフィルムを給送できる。
【発明を実施するための最良の形態】
【００１３】
以下、添付図面に従って本発明に係るカメラを実施するための最良の形態について説明する。
【００１４】
図１は本発明に係るカメラの一実施形態を示す背面斜視図である。このカメラ１０は、逆装填ＤＩＬ方式のカメラであり、カメラ本体１２の底面に形成されたパトローネ装填口２０からフィルムパトローネ１をパトローネ軸３に沿ってパトローネ室１６に落とし込むことにより、フィルムパトローネ１をパトローネ室１６に装填する。
【００１５】
図１に示すように、カメラ本体１２の背面には、フィルム４が走行するフィルム走行面１３が形成されている。フィルム走行面１３には、フィルム４の露光範囲を規制するアパーチャ１４が形成されている。また、フィルム走行面１３には、アパーチャ１４の上辺及び下辺に沿ってガイドレール１５、１５が設けられており、フィルム４は、このガイドレール１５上を走行する。
【００１６】
アパーチャ１４の右側にはフィルムパトローネ１を装填するパトローネ室１６が設けられており、左側にはフィルム４を巻き取るフィルム巻取り室１８が設けられている。
【００１７】
パトローネ室１６は、底面にパトローネ装填口２０が形成されており、このパトローネ装填口２０からフィルムパトローネ１がパトローネ軸３に沿って挿入される。
【００１８】
一方、フィルム巻取り室１８には、フィルムを巻き取るスプール２２が設けられている。スプール２２には、上端部外周に複数の引っ掛け爪２２Ａを周方向に一定ピッチで形成されており、この引っ掛け爪２２Ａにフィルム４のパーフォレーション５を係合させて、フィルム４を巻き付ける。
【００１９】
カメラ本体１２の外装は、カメラカバー２４と裏蓋２６とで構成されている。裏蓋２６はカメラ本体１２に開閉自在に設けられており、カメラ本体１２の背面を覆う裏蓋本体２６Ａと、パトローネ装填口２０を覆う底蓋部２６Ｂとで構成されている。裏蓋本体２６Ａの内側には、図示しない押しバネを介して圧板２８が設けられており、裏蓋２６を閉じると、この圧板２８によってフィルム４がガイドレール１５に押圧される。
【００２０】
パトローネ装填口２０から装填されるフィルムパトローネ１は、いわゆる１３５タイプのフィルムパトローネであり、パトローネ本体２、パトローネ軸３、フィルム４で構成されている。
【００２１】
パトローネ本体２は、円筒状に形成されており、その外周面にフィルム４を接線方向に繰り出すフィルム送出口２Ａを有している。
【００２２】
パトローネ軸３は、パトローネ本体２の中心に回動自在に支持されており、その一端がパトローネ本体２に突出されている。
【００２３】
フィルム４は、帯状に形成されており、その両縁部に一定ピッチでパーフォレーション５、５、…が形成されている。未使用時において、フィルム４はパトローネ軸３に巻き付けられた状態でパトローネ本体２に収容されており、その先端に形成されたフィルムリーダ４Ａの部分がフィルム送出口２Ａから所定量引き出されている。
【００２４】
フィルムパトローネ１をパトローネ室１６に装填する場合は、パトローネ軸３が突出した方からフィルムパトローネ１をパトローネ装填口２０に挿入し、軸方向に沿ってパトローネ室１６に落とし込むことにより、フィルムパトローネ１をパトローネ室１６に装填する。
【００２５】
ここで、フィルムパトローネ１からは、あらかじめフィルムリーダ４Ａの部分が引き出されているため、フィルムパトローネ１をパトローネ室１６に装填すると、その引き出されているフィルムリーダ４Ａの部分がアパーチャ１４上にセットされる。そして、そのフィルムリーダ４Ａの先端がフィルム巻取り室１８上に位置する。
【００２６】
アパーチャ１４とフィルム巻取り室１８との間には、スプロケット３０が配設されている。このスプロケット３０は、アパーチャ１４の上辺に沿って配設されており、カメラ本体１２に形成されたスプロケット穴３２から、歯３０Ａ〜３０Ｅが突出するように配置されている。
【００２７】
フィルムパトローネ１をパトローネ室１６に装填することにより、アパーチャ１４上にセットされたフィルムリーダ４Ａは、そのパーフォレーション５にスプロケット３０の歯３０Ａ〜３０Ｅが噛み合わされる。スプロケット３０は、裏蓋２６を閉じると、図示しない回転駆動機構に駆動されて回転し、これにより、フィルムリーダ４Ａがフィルム巻取り室１８に給送される。
【００２８】
さて、このようにパトローネ室１６に装填されたフィルムパトローネ１は、スプロケット３０に駆動されて、フィルムリーダ４Ａがフィルム巻取り室１８に給送されるが、カメラ本体１２のコンパクト化を図るべく、小型のスプロケット３０を用いると、フィルム給送中にフィルム４を裂くおそれがある。
【００２９】
そこで、本実施の形態のカメラ１０は、スプロケット３０を次のように構成している。すなわち、図２に示すように、スプロケット３０は、一定ピッチで配設された５つの歯３０Ａ〜３０Ｅを備えているが、隣り合う各歯の間隔ｄが、フィルム４に一定ピッチで形成されたパーフォレーション５の隣り合うパーフォレーション５の間隔Ｄよりも若干狭くなるように設定されている。
【００３０】
ここで、隣り合う歯の間隔ｄとは、図２に示すように、一方の歯３０Ａと他方の歯３０Ｂとがスプロケット穴３２から左右対称に突出した時、一方の歯３０Ａの後側の歯面３０ａとガイドレール１５との交点ＰA と、他方の歯３０Ｂの前側の歯面３０ｂとガイドレール１５との交点ＰB との間隔をいい、この間隔ｄが隣り合うパーフォレーション５の間隔Ｄよりも若干狭く形成されている。
【００３１】
この結果、スプロケット３０でフィルム４を給送すると、先にパーフォレーション５に係合したスプロケット３０の歯３０Ａが、パーフォレーション５から抜ける前に次の歯３０Ｂが、次のパーフォレーション５に噛み合い、次の歯３０Ｂでフィルム４が給送されるようになる。
【００３２】
図３は、このスプロケット３０によるフィルム４の給送時における、フィルム４とスプロケット３０の状態変化を経時的に示した図である。
【００３３】
図３（ａ）に示すように、フィルム４のパーフォレーション５Ａにスプロケット３０の歯３０Ａが嵌入された状態でスプロケット３０が回転駆動されると、図３（ｂ）に示すように、スプロケット３０の歯３０Ａにパーフォレーション５Ａの前側の縁部が押され、フィルム４が図中矢印Ａ方向に送られる。
【００３４】
更にスプロケット３０を回転させると、図３（ｃ）に示すように、フィルム４は更に前進し、スプロケット３０が所定量回転したところで、図３（ｄ）に示すように、次の歯３０Ｂが、フィルム４の下面に当接する。
【００３５】
このスプロケット３０の次の歯３０Ｂは、図３（ｅ）に示すように、スプロケット３０の回転によるフィルム４の進行に伴い、徐々にフィルム４の次のパーフォレーション５Ｂに嵌入し始める。そして、図３（ｆ）に示すように、スプロケット３０の次の歯３０Ｂが、フィルム４の次のパーフォレーション５Ｂに嵌入すると、フィルム４の給送が、前の歯３０Ａと前のパーフォレーション５Ａとの係合による送りから、次の歯３０Ｂと次のパーフォレーション５Ｂとの係合による送りに切り替わる。
【００３６】
この給送の切り替わりは、スプロケット３０の前の歯３０Ａが、フィルム４の前のパーフォレーション５Ａから抜ける前に行なわれ、この結果、スプロケット３０の前の歯３０Ａが、フィルム４の前のパーフォレーション５Ａから抜ける時には、図３（ｇ）及び（ｈ）に示すように、スプロケット３０の前の歯３０の歯面が、前のパーフォレーション５Ａの縁部に接触しなくなる。
【００３７】
このように、スプロケット３０の歯３０Ａ〜３０Ｅが、フィルム４のパーフォレーショ５から抜ける際にフィルム４のパーフォレーショ５の縁部に接触しなくなることにより、フィルム４に無駄な剪断力が働かなくなり、フィルム４を破くことなく、安定した状態で確実に給送できるようになる。
【００３８】
なお、本実施の形態では、スプロケット３０の歯の数を５枚としているが、スプロケット３０の歯の数は、これに限定されるものではない。このスプロケット３０の歯の数は、使用するスプロケット３０の径を考慮して、最適な枚数とすることが好ましい。
【００３９】
また、スプロケット３０の歯の間隔ｄは、上記のようにフィルム４に形成されたパーフォレーション４の間隔Ｄよりも若干狭く形成するが、狭くしすぎると、前の歯によるフィルム４の給送中に次の歯がフィルム４に当り、フィルム４を大きく持ち上げてしまうことから、フィルムの平面性を損なわない範囲で狭く形成することが好ましい。
【００４０】
また、スプロケット３０は、アパーチャ１４の内壁面に抵触しない範囲で可能な限りアパーチャ１４に近づけて設置することが好ましく、これにより、小径なスプロケットを用いたことと相まって、カメラ本体１０の横幅のコンパクト化を図ることができる。
【００４１】
なお、本実施の形態では、逆装填ＤＩＬ方式のカメラに本発明を適用した場合を例に説明したが、本発明の適用は、これに限定されるものではなく、順装填ＤＩＬ方式のカメラや、ＤＩＬ方式以外の装填方式のカメラにも適用することができる。
【図面の簡単な説明】
【００４２】
【図１】本発明に係るカメラの一実施形態を示す背面斜視図
【図２】スプロケットの歯の間隔とフィルムのパーフォレーションの間隔との関係を示す図
【図３】スプロケットによるフィルムの給送時における、フィルムとスプロケットの状態変化を経時的に示す図
【符号の説明】
【００４３】
１…フィルムパトローネ、２…フィルムパトローネ本体、２Ａ…フィルム送出口、３…パトローネ軸、４…フィルム、５、５Ａ、５Ｂ…パーフォレーション、１０…カメラ、１２…カメラ本体、１４…アパーチャ、１５…ガイドレール、１６…パトローネ室、１８…フィルム巻取り室、２０…パトローネ装填口、２２…スプール、２６…裏蓋、３０…スプロケット、３０Ａ〜３０Ｅ…歯、３０ａ、３０ｂ…歯面、３２…スプロケット穴
【図１】
2005275042.tif 000003
【図２】
2005275042.tif 000004
【図３】
2005275042.tif 000005